(57)【特許請求の範囲】
【請求項１】
フェニル基を有する重合性単量体、及び、フェニル基及びスルホン酸塩を有する重合性単量体のみを単量体成分とする共重合体からなる担体粒子により構成される測定試薬用担体粒子ラテックス（着色されているものを除く）であって、
前記担体粒子は、表面のスルホン酸基量が０．００５〜０．７μｍｏｌ／ｍ2、平均粒子径が０．０１〜１．５μｍである
ことを特徴とする測定試薬用担体粒子ラテックス。
【請求項２】
フェニル基を有する重合性単量体、及び、フェニル基及びスルホン酸塩を有する重合性単量体のみを単量体成分とする共重合体からなる担体粒子により構成される測定試薬用担体粒子ラテックス（着色されているものを除く）であって、
前記担体粒子は、表面のスルホン酸基量が異なる２種類以上の粒子からなるものである
ことを特徴とする測定試薬用担体粒子ラテックス。
【請求項３】
担体粒子は、表面のスルホン酸基量が０．００５〜０．７μｍｏｌ／ｍ2であることを特徴とする請求の範囲第２項記載の測定試薬用担体粒子ラテックス。
【請求項４】
担体粒子は、表面のスルホン酸基量が０．００５μｍｏｌ／ｍ2以上０．１２μｍｏｌ／ｍ2未満である担体粒子（Ａ）と、表面のスルホン酸基量が０．１２μｍｏｌ／ｍ2以上０．７μｍｏｌ／ｍ2以下である担体粒子（Ｂ）とからなることを特徴とする請求の範囲第２又は３項記載の測定試薬用担体粒子ラテックス。
【請求項５】
担体粒子（Ａ）と担体粒子（Ｂ）との含有比率が、重量比で、担体粒子（Ａ）／担体粒子（Ｂ）＝１／１０〜１０／１であることを特徴とする請求の範囲第４項記載の測定試薬用担体粒子ラテックス。
【請求項６】
フェニル基を有する重合性単量体、及び、フェニル基及びスルホン酸塩を有する重合性単量体のみを単量体成分とする共重合体からなる担体粒子により構成される測定試薬用担体粒子ラテックス（着色されているものを除く）であって、
前記担体粒子は、平均粒子径が０．０４〜０．１μｍ、粒子径のＣＶ値が８〜２０％である
ことを特徴とする測定試薬用担体粒子ラテックス。
【請求項７】
担体粒子は、表面のスルホン酸基量が０．００５〜０．７μｍｏｌ／ｍ2であることを特徴とする請求の範囲第６項記載の測定試薬用担体粒子ラテックス。
【請求項８】
乳化剤を実質的に含有しないものであることを特徴とする請求の範囲第１、２、３、４、５、６又は７記載の測定試薬用担体粒子ラテックス。
【請求項９】
フェニル基を有する重合性単量体がスチレンであり、かつ、フェニル基及びスルホン酸塩を有する重合性単量体がスチレンスルホン酸塩であることを特徴とする請求の範囲第１、２、３、４、５、６、７又は８項記載の測定試薬用担体粒子ラテックス。
【請求項１０】
請求の範囲第１、２、３、４、５、６、７、８又は９項記載の測定試薬用担体粒子ラテックスの担体粒子に、被測定物質と特異的に結合する物質が担持されてなることを特徴とする測定試薬。
【発明の詳細な説明】
技術分野
本発明は、免疫血清学的検査において広い濃度範囲の生体試料を測定することができ、長期間安定して保存することができる測定試薬用担体粒子ラテックス及びそれを用いた測定試薬に関する。
背景技術
臨床検査の分野では、生体試料（血液、尿等）を用いて種々の疾患の診断を行っているが、これらを診断する方法として、種々の測定法が開発され利用されている。これらの測定法の代表的方法として、酵素反応を利用する生化学測定方法や抗原抗体反応を利用する免疫測定方法が挙げられる。これらの診断に用いる試薬としては、例えば、妊娠診断テスト、リウマチ因子を検出するＲＡテスト、Ｃ−反応性タンパクを検出するＣＲＰテスト、Ｂ型肝炎表面抗原（ＨＢｓ抗原）、抗ＨＢｓ抗体、β２ミクログロブリン抗体、マイコプラズマ抗原、核酸、核タンパク、エストロゲン、抗エストロゲン抗体等のためのものが開発されている。
このような測定法としては、例えば、免疫比濁法（ＴＩＡ法）、ラテックス比濁法（ＬＩＡ法）、酵素免疫測定法（ＥＩＡ法）、放射免疫測定法（ＲＩＡ法）等が挙げられ、目的に応じて使い分けされている。
なかでもＬＩＡ法は、担体粒子を水性分散液に分散させたラテックスの担体粒子に抗原又は抗体を感作させ、これを用いて血清中の対応する抗体又は抗原との反応を担体粒子の凝集反応として検出するものであり、その簡便性と迅速性のため、多くの種類の抗原又は抗体の検出に応用されている。
近年、医療現場では、従来行われてきた病気の診断から病気予防へと方向転換してきている。即ち、病気として発病する以前に血液等の検査を行うことにより、病気傾向を早期に発見し、予防しようとするものである。このような予防医療への応用のためには、ＬＩＡ法等に対しても、より高感度な測定が可能であることが求められてきている。もともと、抗原抗体反応等の免疫血清学的検査は微量物質の評価を行うものであったが、予防医療に使用するための測定試薬は、従来のものより更に低濃度の病気に起因する微量タンパク（抗原・抗体）を検出できるものでなくてはならず、このため測定試薬としては、現在使用されているものより、更に高感度なものが必須となってきている。
このような問題点から、免疫検査に使用される免疫自動分析測定機器においても、少量検体・少量試薬による測定を行うための機器類の改良が進んでおり、これに伴って、上記機器類に使用するための測定試薬もより高感度な性能が求めらている。
このような測定試薬の感度を上げる方法としては、例えば、使用する担体粒子の粒子径を大きくすることで光学的変化量を大きくし、被測定物質をより感度よく測定する方法が試みられている。特公昭５８−５０６４５号公報には、スチレンと該スチレンに対し１０重量％以下のスチレンスルホン酸塩とを乳化剤の不存在下で過硫酸塩を重合開始剤として水中で共重合させ、次いでアルカリ性の条件下で加熱することを特徴とするラテックスの製造方法が開示されており、スチレンモノマーに対する触媒量を増加することにより０．３〜０．８μｍの粒子径の担体粒子からなるラテックスが得られるとされている。また、特公平１−３６４８４号公報には、原子価が２価の金属の酸化物又は水酸化物を含有する水溶液中でラテックスを合成し診断薬を製造する方法が開示されている。
しかしながら、粒子径の大きな担体粒子からなるラテックスを用いる方法では、被測定物質が高濃度である場合には、担体粒子の凝集による光学的変化量が測定可能領域を超えてしまい被測定物質の量に応じた光学的変化量が得られないこと、また、非特異凝集反応を示す確率が高いという問題点があり、更に、安定性に欠け長期保存ができないという問題があった。
これに対して、特開昭６３−６５３６９号公報には、平均粒子径の異なる２種類又は３種類以上の担体粒子からなるラテックスにそれぞれ抗体又は抗原を感作し、一定の比率で混合したラテックス試薬を使用する方法が開示されている。これは、粒子径の小さな担体粒子からなるラテックスの測定範囲の広さと、粒子径の大きな担体粒子からなるラテックスの低濃度領域での高感度という２つの特徴を併せ持った性能を実現しようとするものである。
また、特公昭６３−１４７８３号公報には、少なくとも二つの異なった量の同一抗原又は抗体を負荷された２種の異なった粒子径範囲の担体粒子からなるラテックスが開示されている。
また、特許第２５８８１７４号には、平均粒子径の異なる２種類以上の粒子に抗体又は抗原を感作して混合したラテックス、又は、平均粒子径の異なる２種類以上の担体粒子を混合した後、抗体又は抗原を感作して得たラテックスと、感作した抗体に対する抗原又は感作した抗原に対する抗体とを水溶媒中で反応させ、光を照射しその吸光度変化を測定して抗原抗体反応を測定する方法において、平均粒子径が０．０５〜０．３μｍの範囲にある担体粒子と平均粒子径が０．３〜１．０μｍの範囲にある担体粒子とを混合すること、及び、混合した粒子の平均粒子径の少なくとも２．５倍であり、かつ、０．６〜２．４μｍの波長の光を照射することを特徴とする抗原抗体反応を利用した測定法が開示されている。
更に、特開平５−１８９７３号公報には、免疫学的反応により測定しようとする成分の量に応じて、測定しようとする成分と反応する成分を不溶化した粒子径が０．１μｍ以下の担体粒子と、測定しようとする成分と反応する成分、反応する成分を不溶化した粒子径が０．１μｍよりも大きい担体粒子の少なくとも１種とを組み合わせ、測定しようとする成分を含む検体と反応させることを特徴とする免疫学的測定方法及びこの測定方法に用いる試薬が開示されている。
しかしながら、これらの平均粒子径の異なる複数種類の担体粒子からなるラテックスを用いる方法は、ラテックス試薬の調製が困難であり、同一の試薬調製者が、同じ平均粒子径、ＣＶ値の粒子を用いて、定められた試薬プロトコールに従って試薬調製を行っても、調製するごとに性能の異なる試薬しか得られないという問題点があった。
発明の要約
本発明の目的は、免疫血清学的検査において広い濃度範囲の生体試料を測定することができ、長期間安定して保存することができる測定試薬用担体粒子ラテックス及びそれを用いた測定試薬を提供することである。
第１の本発明は、フェニル基を有する重合性単量体と、フェニル基及びスルホン酸塩を有する重合性単量体との共重合体からなる担体粒子により構成される測定試薬用担体粒子ラテックスであって、前記担体粒子は、表面のスルホン酸基量が０．００５〜０．７μｍｏｌ／ｍ2、平均粒子径が０．０１〜１．５μｍである測定試薬用担体粒子ラテックスである。
第２の本発明は、フェニル基を有する重合性単量体と、フェニル基及びスルホン酸塩を有する重合性単量体との共重合体からなる担体粒子により構成される測定試薬用担体粒子ラテックスであって、前記担体粒子は、表面のスルホン酸基量が異なる２種類以上の粒子からなるものである測定試薬用担体粒子ラテックスである。第２の本発明の測定試薬用担体粒子ラテックスにおいて、担体粒子は、表面のスルホン酸基量が０．００５〜０．７μｍｏｌ／ｍ2であることが好ましい。第２の本発明の測定試薬用担体粒子ラテックスにおいては、担体粒子は、表面のスルホン酸基量が０．００５μｍｏｌ／ｍ2以上０．１２μｍｏｌ／ｍ2未満である担体粒子（Ａ）と、表面のスルホン酸基量が０．１２μｍｏｌ／ｍ2以上０．７μｍｏｌ／ｍ2以下である担体粒子（Ｂ）とからなることが好ましく、担体粒子（Ａ）と担体粒子（Ｂ）との含有比率は、重量比で、担体粒子（Ａ）／担体粒子（Ｂ）＝１／１０〜１０／１であることが好ましい。
第３の本発明は、フェニル基を有する重合性単量体と、フェニル基及びスルホン酸塩を有する重合性単量体との共重合体からなる担体粒子により構成される測定試薬用担体粒子ラテックスであって、前記担体粒子は、平均粒子径が０．０４〜０．１μｍ、粒子径のＣＶ値が８〜２０％である測定試薬用担体粒子ラテックスである。第３の本発明の測定試薬用担体粒子ラテックスにおいては、担体粒子は、表面のスルホン酸基量が０．００５〜０．７μｍｏｌ／ｍ2であることが好ましい。
第１、第２又は第３の本発明の測定試薬用担体粒子ラテックスは、乳化剤を実質的に含有しないものであることが好ましい。また、第１、第２又は第３の本発明の測定試薬用担体粒子ラテックスにおいては、フェニル基を有する重合性単量体がスチレンであり、かつ、フェニル基及びスルホン酸塩を有する重合性単量体がスチレンスルホン酸塩であることが好ましい。
第４の本発明は、第１、第２又は第３の本発明の測定試薬用担体粒子ラテックスの担体粒子に、被測定物質と特異的に結合する物質が担持されてなる測定試薬である。
【図面の簡単な説明】
図１は、実施例１〜３及び比較例１〜４で調製した測定試薬を調製直後に検体測定を行った結果を示す図である。図２は、実施例及１〜３び比較例１〜４で調製した測定試薬を安定性試験後に検体測定を行った結果を示す図である。図３は、実施例４及び比較例５で調製した測定試薬を調整直後に検体測定を行った結果を示す図である。図４は、実施例及４び比較例５で調製した測定試薬を安定性試験後に検体測定を行った結果を示す図である。図５は、実施例５〜７で調製した測定試薬を用いて検体測定を行った結果を示す図である。図６は、比較例６〜８で調製した測定試薬を用いて検体測定を行った結果を示す図である。図７は、実施例８〜１１で調製した測定試薬を用いて検体測定を行った結果を示す図である。図８は、比較例９〜１２で調製した測定試薬を用いて検体測定を行った結果を示す図である。図９は、実施例１２（ｉ）、比較例１３及び実施例１３で調製した測定試薬を用いて検体測定を行った結果を示す図である。図１０は、実施例１２（ｊ）、比較例１３及び実施例１４で調製した測定試薬を用いて検体測定を行った結果を示す図である。図１１は、実施例１５〜１８で調製した測定試薬を用いて検体測定を行った結果を示す図である。図１２は、実施例１４〜１８で調製した測定試薬を用いて検体測定を行った結果を示す図である。
発明の詳細な開示
以下に本発明を詳述する。
第１の本発明の測定試薬用担体粒子ラテックスは、フェニル基を有する重合性単量体と、フェニル基及びスルホン酸塩を有する重合性単量体との共重合体からなる担体粒子により構成されるものである。
上記フェニル基を有する重合性単量体としては特に限定されず、例えば、スチレン、ジビニルベンゼン、エチルスチレン、α−メチルスチレン、ｐ−メチルスチレン、ｐ−クロロスチレン、クロロメチルスチレン等が挙げられる。これらは単独で用いられてもよく、２種以上が併用されてもよい。なかでも、スチレンが好ましく用いられる。
上記フェニル基及びスルホン酸塩を有する重合性単量体としては、重合後の担体粒子表面にスルホン酸基を含有せしめることができる単量体であれば特に限定されず、例えば、スチレンスルホン酸塩、ジビニルベンゼンスルホン酸塩、エチルスチレンスルホン酸塩、α−メチルスルホン酸塩等が挙げられる。また、この場合の塩としては特に限定されず、ナトリウム塩、カリウム塩、リチウム塩、アンモニウム塩等が挙げられる。これらは単独で用いられてもよく、２種以上が併用されてもよい。なかでも、スチレンスルホン酸塩が好適であり、スチレンスルホン酸ナトリウムがより好適に用いられる。
上記担体粒子は、上記フェニル基を有する重合性単量体と上記フェニル基及びスルホン酸塩を有する重合性単量体とを共重合することにより得られる。上記共重合の方法としては従来公知の方法を用いることができ、例えば、溶媒として水が仕込まれた反応容器内に上記フェニル基を有する重合性単量体、上記フェニル基とスルホン酸塩を有する重合性単量体、重合開始剤及び必要に応じて乳化剤を添加し、窒素雰囲気下で攪拌する方法等が挙げられる。この場合、重合温度としては５０〜１００℃が好ましく、より好ましくは６０〜８５℃である。また、重合時間としては、重合性単量体の組成、濃度、及び、重合開始剤等の条件にもよるが、通常５〜５０時間である。
上記重合開始剤としては特に限定されず、例えば、過硫酸塩類等が挙げられる。上記過硫酸塩類としては、例えば、過硫酸カリウム、過硫酸ナトリウム、過硫酸アンモニウム等が好適である。上記重合開始剤の使用量としては特に限定されないが、通常は重合性単量体量に対して０．０１〜１重量％の範囲である。
上記乳化剤は、第１の本発明の測定試薬用担体粒子ラテックスに乳化剤が含まれると測定精度を阻害する等の不都合があることから、通常は用いないことが好ましいが、上記担体粒子表面のスルホン酸基量の調整に必要である場合等、必要に応じて用いる。ただし、重合後の後処理工程により除去することを考慮すれば、フェニル基を有する重合性単量体に対して好ましくは１重量％以下、より好ましくは０．５重量％以下、更に好ましくは０．０１〜０．０２重量％用いる。
上記フェニル基を有する重合性単量体に対する上記フェニル基とスルホン酸塩を有する重合性単量体の配合量としては、粒子表面のスルホン酸基量が０．００５〜０．７μｍｏｌ／ｍ2の範囲になるようにするために、２重量％以下であることが好ましく、より好ましくは０．０００１〜１．５重量％、更に好ましくは０．００１〜１．２重量％である。この比率で両者を共重合することにより、上記担体粒子表面のスルホン酸基量を０．００５〜０．７μｍｏｌ／ｍ2に調整することができる。
また、本発明の測定試薬用担体粒子ラテックスの用途によっては、上記共重合の際に、更に重合性不飽和単量体を添加してもよい。上記重合性不飽和単量体としては通常のラジカル重合に使用可能なものであれば特に限定されず、例えば、（メタ）アクリル酸、（メタ）アクリル酸エステル、スチレン誘導体、（メタ）アクリロニトリル、（メタ）アクリル酸アミド、ハロゲン化ビニル、ビニルエステル、（メタ）アクロレイン、マレイン酸誘導体、フマル酸誘導体等が挙げられる。なお、本発明において（メタ）アクリル酸とは、アクリル酸又はメタクリル酸を意味する。
上記担体粒子は、表面のスルホン酸基量が０．００５〜０．７μｍｏｌ／ｍ2である。本発明者らは、担体粒子表面のスルホン酸基量が上記範囲にあることにより測定感度が飛躍的に向上し、測定対象である微量タンパク濃度が低濃度領域から高濃度領域まで広範囲にわたって測定可能であることを見出し、本発明を完成するに至った。上記担体粒子表面のスルホン酸基量が０．００５μｍｏｌ／ｍ2未満であると、非特異凝集を起こしやすく、０．７μｍｏｌ／ｍ2を超えると、凝集反応性が低下し感度が鈍くなる。好ましくは０．０２〜０．５μｍｏｌ／ｍ2である。なお、上記担体粒子表面のスルホン酸基量は、電気伝導度滴定法（Ｊｏｕｒｎａｌ ｏｆ Ｃｏｌｌｏｉｄ ａｎｄ Ｉｎｔｅｒｆａｃｅ Ｓｃｉｅｎｃｅｓ．４９（３）４２５，１９７４）により求めることができる。
上記担体粒子の平均粒子径は、０.０１〜１.５μｍである。０.０１μｍ未満であると、凝集による光学的変化量が小さすぎて測定に必要な感度が得られず、また、試薬調製時の遠心分離の際に多くの時間がかかり試薬コストが高くなってしまう。１．５μｍを超えると、被測定物質が高濃度であるときに担体粒子の凝集による光学的変化量が測定可能領域を越えてしまい、被測定物質の量に応じた光学的変化量が得られない。測定試薬用担体粒子ラテックスを使用する測定方法、測定機器によって異なるが、好ましくは０．０３〜０．８μｍ、より好ましくは０．０５〜０．５μｍである。
上記担体粒子の粒子径の変動係数（ＣＶ値）は、１０％以下であることが好ましい。１０％を超えると、試薬調製時のロット再現性が悪く、測定試薬の再現性が低下することがある。より好ましくは５％以下であり、更に好ましくは３％以下である。なお、上記粒子径の変動係数は、下記式により算出することができる。
粒子径の変動係数（ＣＶ値）＝粒子径の標準偏差／平均粒子径
第１の本発明の測定試薬用担体粒子ラテックスは、上記担体粒子を水又は水系溶媒に懸濁させることにより得られる。第１の本発明の測定試薬用担体粒子ラテックスにおける担体粒子濃度としては特に限定されないが、通常は１〜２０重量％であることが好ましい。１重量％未満であると、試薬調製時に濃縮する必要があり、２０重量％を超えると、凝集してしまうことがある。
第１の本発明の測定試薬用担体粒子ラテックスは、測定精度を阻害する等の不都合があることから、乳化剤を実質的に含有しないことが好ましい。ここで実質的にとは、担体粒子の製造の際に乳化剤を使用した場合に、その除去工程を経た後にも痕跡程度に残留する乳化剤の存在はかまわないという意味である。
第１の本発明の測定試薬用担体粒子ラテックスは、担体粒子表面のスルホン酸基量が上記範囲にあることにより、測定感度が飛躍的に向上し、測定対象である微量タンパク濃度が低濃度領域から高濃度領域まで広範囲にわたっている場合にも測定することが可能である。また、長期安定性に優れるため、特に光学系測定装置に最適である。更に、従来のように沈降防止のために、液比重を上げるための糖類等を添加する必要もない。
第２の本発明は、フェニル基を有する重合性単量体と、フェニル基及びスルホン酸塩を有する重合性単量体との共重合体からなる担体粒子により構成される測定試薬用担体粒子ラテックスであって、担体粒子は、表面のスルホン酸基量が異なる２種類以上の粒子からなるものであり、乳化剤を実質的に含有しないものである測定試薬用担体粒子ラテックスである。
上記フェニル基を有する重合性単量体、フェニル基及びスルホン酸塩を有する重合性単量体については第１の本発明の場合と同様である。
第２の本発明の測定試薬用担体粒子ラテックスでは、表面のスルホン酸基量が異なる２種類以上の粒子からなる担体粒子を用いる。担体粒子表面のスルホン酸基量が異なる２種類以上の担体粒子を用いることにより、得られる測定試薬用担体粒子ラテックスは、低濃度から高濃度までの広い濃度範囲にわたって高感度かつ高精度で抗原抗体反応を測定することが可能であり、長期安定性にも優れる測定試薬、特に、分光光度計、濁度計、光散乱測定装置等の光学的測定装置用として好適な測定試薬を得るに適するものとなる。
第２の本発明の測定試薬用担体粒子ラテックスに用いる担体粒子表面のスルホン酸基量は、０．００５〜０．７μｍｏｌ／ｍ2であることが好ましい。０．００５μｍｏｌ／ｍ2未満であると、非特異凝集を起こしやすく、０．７μｍｏｌ／ｍ2を超えると、凝集反応性が低下し感度が鈍くなることがある。好ましくは０．０２〜０．５μｍｏｌ／ｍ2である。
第２の本発明の測定試薬用担体粒子ラテックスに用いる担体粒子は、表面のスルホン酸基量が０．００５μｍｏｌ／ｍ2以上０．１２μｍｏｌ／ｍ2未満である担体粒子（Ａ）と、表面のスルホン酸基量が０．１２μｍｏｌ／ｍ2以上０．７μｍｏｌ／ｍ2以下である担体粒子（Ｂ）とからなることが好ましい。このような担体粒子（Ａ）と担体粒子（Ｂ）とを混合して用いることにより、得られる測定試薬用担体粒子ラテックスは、更に低濃度から更に高濃度までの極めて広い濃度範囲にわたって高感度かつ高精度に抗原抗体反応を測定することが可能であり、長期安定性も更に向上する。
上記担体粒子（Ａ）表面のスルホン酸基量が０．００５μｍｏｌ／ｍ2未満であると、得られる測定試薬用担体粒子ラテックスや最終的に得られる測定試薬の長期安定性が低下して、測定試薬が非特異凝集反応を起こし易くなることがあり、０．１２μｍｏｌ／ｍ2以上であると、低濃度領域での測定が困難となることがある。また、上記担体粒子（Ｂ）表面のスルホン酸基量が０．１２μｍｏｌ／ｍ2未満であると、高濃度領域での測定が困難となることがあり、０．７μｍｏｌ／ｍ2を超えると、最終的に得られる測定試薬の免疫血清学的凝集反応性が低下して、測定感度や測定精度が不充分となることがある。
上記担体粒子（Ａ）と担体粒子（Ｂ）との含有比率は、重量比で、担体粒子（Ａ）／担体粒子（Ｂ）＝１／１０〜１０／１であることが好ましい。この範囲外であると、上述の優れた性能を兼備する測定試薬を得るに適する測定試薬用担体粒子ラテックスが得られないことがある。
第２の本発明の測定試薬用担体粒子ラテックスに用いる担体粒子の平均粒子径は０．０１〜１．５μｍであることが好ましい。０．０１μｍ未満であると、凝集による光学的変化量が小さすぎて測定に必要な感度が得られないことがあり、また、試薬調製時の遠心分離の際に多くの時間がかかり試薬コストが高くなってしまう。１．５μｍを超えると、被測定物質が多いときに粒子の凝集による光学的変化量が測定可能領域を越えてしまい、高濃度領域では被測定物質の量に応じた光学的変化量が得られないことがある。より好ましくは０．０３〜０．８μｍ、更に好ましくは０．０５〜０．５μｍである。また、第２の本発明の測定試薬用担体粒子ラテックスに用いる担体粒子の粒子径の変動係数（ＣＶ値）は、１０％以下であることが好ましい。１０％を超えると、試薬調製時のロット再現性が悪く、測定試薬の再現性が低下することがある。より好ましくは５％以下であり、更に好ましくは３％以下である。なお、担体粒子（Ａ）と担体粒子（Ｂ）の平均粒子径は、同じであってもよいし、異なっていてもよい。
第２の本発明の測定試薬用担体粒子ラテックスに用いる担体粒子の作製方法及び第２の本発明の測定試薬用担体粒子ラテックスの調製方法については、第１の本発明の測定試薬用担体粒子ラテックスの場合と同様である。
第２の本発明の測定試薬用担体粒子ラテックスは、表面のスルホン酸基量が異なる２種類以上の粒子からなる担体粒子を用いることにより、低濃度から高濃度までの広い濃度範囲にわたって高感度かつ高精度で抗原抗体反応を測定することが可能であり、長期安定性にも優れる測定試薬、特に、分光光度計、濁度計、光散乱測定装置等の光学的測定装置用として好適な測定試薬を得るに適するものとなる。
第３の本発明は、フェニル基を有する重合性単量体と、フェニル基及びスルホン酸塩を有する重合性単量体との共重合体からなる担体粒子により構成される測定試薬用担体粒子ラテックスであって、担体粒子は、平均粒子径が０．０４〜０．１μｍ、粒子径のＣＶ値が８〜２０％であり、乳化剤を実質的に含有しないものである測定試薬用担体粒子ラテックスである。
上記フェニル基を有する重合性単量体及びフェニル基及びスルホン酸塩を有する重合性単量体については第１の本発明の場合と同様である。
第３の本発明の測定試薬用担体粒子ラテックスに用いる担体粒子は、平均粒子径が０．０４〜０．１μｍ、粒子径のＣＶ値が８〜２０％である。このような平均粒子粒子径及び粒子径のＣＶ値の幅を一定の範囲に調整した担体粒子を用いることにより、広い濃度範囲にわたって抗原抗体反応の測定が可能であり、かつ、試薬調製後の長期安定性にも優れ、特に光学的測定装置に適用し得る免疫血清学的検査試薬用として有用なものになる。平均粒子径が０．０４μｍ未満であると、試薬調製に長時間を要し、０．１μｍを超えると、バックグラウンドが高くなるため低濃度領域での測定精度が低下してしまう。好ましくは０．０５〜０．０９５μｍである。また、粒子径のＣＶ値が８％未満であると、低濃度領域から高濃度領域まで広範囲での測定が不可能であり、２０％を超えると、遠心分離後及び試薬調製時の粒子回収が困難となる。好ましくは１０〜１６％である。
第３の本発明の測定試薬用担体粒子ラテックスに用いる担体粒子表面のスルホン酸基量は０．００５〜０．７μｍｏｌ／ｍ2であることが好ましい。０．００５μｍｏｌ／ｍ2未満であると、非特異凝集を起こしやすく、０．７μｍｏｌ／ｍ2を超えると、凝集反応性が低下し感度が鈍くなることがある。好ましくは０．０２〜０．５μｍｏｌ／ｍ2である。
第３の本発明の測定試薬用担体粒子ラテックスに用いる担体粒子の作製方法及び第３の本発明の測定試薬用担体粒子ラテックスの調製方法については、第１の本発明の測定試薬用担体粒子ラテックスの場合と同様である。
第３の本発明の測定試薬用担体粒子ラテックスは、平均粒子径及び粒子径のＣＶ値の幅を一定の範囲に調整した担体粒子を用いることにより、広い濃度範囲にわたって抗原抗体反応の測定が可能であり、かつ、試薬調製後の長期安定性にも優れ、特に光学的測定装置に適用し得る免疫血清学的検査試薬用として有用なものになる。
第４の本発明は、第１、第２及び第３の本発明の測定試薬用担体粒子ラテックスの担体粒子に被測定物質と特異的に結合する物質が担持されてなる測定試薬である。
上記被測定物質と特異的に結合する物質としては、免疫血清学的検査試薬（免疫学的凝集反応及び凝集阻止反応において使用されるもの）、生化学測定法として通常使用される生理活性物質であれば特に限定されないが、なかでも、抗原抗体反応に利用できるものが好適である。
上記抗原抗体反応に利用できるものとしては、例えば、タンパク質、核酸、核タンパク質、エストロゲン脂質等の抗原又は抗体が挙げられる。抗原としては、例えば、各種抗原、レセプター、酵素等が挙げられ、β２マイクログロブリン、Ｃ−反応性蛋白質（ＣＲＰ）、ヒトフィブリノーゲン、フェリチン、リウマチ因子（ＲＡ）、α−フェトプロテイン（ＡＦＰ）、マイコプラズマ抗原、ＨＢｓ抗原等が挙げられる。また、抗体としては、例えば、各種の毒素や病原菌等に対する抗体が挙げられ、抗ストレプトリジンＯ抗体、抗エストロゲン抗体、β２マイクログロブリン抗体、梅毒トレポネーマ抗体、梅毒脂質抗原に対する抗体、ＨＢｓ抗体、ＨＢｃ抗体、ＨＢｅ抗体等が挙げられる。なお、抗体としては、免疫グロブリン分子自体の他、例えば、Ｆ（ａｂ’）2のような断片であってもよい。
上記担体粒子に被測定物質と特異的に結合する物質を担持させる方法としては特に限定されず、従来公知の方法により物理的及び／又は化学的結合により担持させればよい。
上記担体粒子に担持される被測定物質と特異的に結合する物質の量としては、用いられる被測定物質と特異的に結合する物質の種類により異なり、特に限定されない。
第４の本発明の測定試薬は、測定感度の向上や抗原抗体反応の促進のために種々の増感剤を含有してもよい。上記増感剤としては、例えば、特開平２−１７３５６７号公報に記載されているメチルセルロース、エチルセルロース等のアルキル化多糖類、特開平５−１８０８３８号公報に記載されているプルラン、ポリビニルピロリドン等が挙げられる。
第４の本発明の測定試薬は、検体中に存在する他の物質により起こる非特異的凝集反応を抑制するため、又は、試薬の安定性を高めるために、アルブミン（牛血清アルブミン、卵性アルブミン）、カゼイン、ゼラチン等のタンパク質やその分解物、アミノ酸又は界面活性剤等を含有してもよい。
第４の本発明の測定試薬を使用するにあたっては、適当な希釈液で希釈してもよい。上記希釈液としてはｐＨ５．０〜９．０の緩衝液であればどのようなものでも用いることができ、たとえば、リン酸緩衝液、グリシン緩衝液、トリス緩衝液、ホウ酸緩衝液、クエン酸緩衝液等が挙げられる。
第４の本発明の測定試薬を用いれば、検体中の被測定物質と担体粒子に担持された被測定物質に特異的に結合する物質との反応により生じる担体粒子の凝集の度合いを光学的に測定することにより、検体中の被測定物質の反応量を測定することができる。上記光学的測定には、散乱光強度、透過光強度、吸光度等を検出できる光学機器、特に一般の生化学自動分析機であればいずれも使用することができる。
上記凝集の度合いを光学的に測定する方法としては従来公知の方法が用いられ、例えば、凝集の形成を濁度の増加としてとらえる比濁法、凝集の形成を粒度分布又は平均粒径の変化としてとらえる方法、凝集の形成による前方散乱光の変化を積分球を用いて測定し透過光強度との比を比較する積分球濁度法等が挙げられる。また、測定法としては、例えば、異なる時点で少なくとも２つの測定値を得、これらの時点間における測定値の増加分（増加速度）に基づき凝集の程度を求める速度試験（レートアッセイ）；ある時点（通常は反応の終点と考えられる時点）で１つの測定値を得、この測定値に基づき凝集の程度を求める終点試験（エンドポイントアッセイ）等が挙げられる。なかでも、測定の簡便性、迅速性の点から比濁法による速度試験が好適である。
発明を実施するための最良の形態
以下に実施例を掲げて本発明を更に詳しく説明するが、本発明はこれら実施例のみに限定されるものではない。
（実施例１）
［担体粒子の作製］
攪拌機、還流用冷却器、温度検出器、窒素導入管及びジャケットを備えたガラス製反応容器（容量２Ｌ）に、蒸留水１５００ｇ、スチレン２８０ｇ、スチレンスルホン酸ナトリウム０．９ｇ、及び、蒸留水１０ｇに過硫酸カリウム０．５ｇを溶解した水溶液とを仕込み、容器内を窒素ガスで置換した後、７０℃で攪拌しながら２４時間重合した。
重合終了後、上記溶液をペーパーろ紙にてろ過処理し、担体粒子を取り出した。得られた担体粒子の粒子径及び表面のスルホン酸基量を下記の方法により測定した。その結果を表１に示した。
（担体粒子の粒子径の測定方法）
透過型電子顕微鏡装置を用いて担体粒子を撮影し、これを画像解析することにより粒子径を測定した。
（担体粒子表面のスルホン酸基量の測定方法）
担体粒子をセロファンチューブ透析膜を用い４８時間、精製水にて透析し残存単量体を除去した。この粒子を乾燥重量で１０ｇになるように４ツ口ガラス容器に採取後、蒸留水で１５０ｍＬになるように希釈しスターラーチップを用い攪拌した。これを溶液Ａとした。
次に、電位差電気伝導度滴定処理装置（ＡＴ−３１０、京都電子工業社製）の付属装置ＡＴＢ−３１０電動ビュレットに、Ｎ／１００−水酸化ナトリウム（和光純薬社製）をセットし、更に導電率電極を溶液Ａに浸し、窒素導入管、脱気管及びｐＨ電極を設定した。そして、Ｎ／１００−水酸化ナトリウムを滴下（滴下量０．０５ｍｌ／１５０〜５００秒：測定するスルホン酸量により調整）し、電位差電気伝導度滴定処理装置（ＡＴ−３１０）を用いた伝導度の変化量から当量点を測定し、目的とするスルホン酸量を算出した。
［測定試薬の調製］
得られた担体粒子を用いて濃度を５％（ｗ／ｖ）に調整した水溶液２５０μＬを８ｍＬガラス管に入れた。これに抗ヒトＣＲＰ山羊血清（ＤＡＫＯ社製、蛋白濃度：１２ｍｇ／ｍＬ）５５０μＬを一気に添加し、３７℃で緩やかに１時間攪拌し吸着させた。次に１．０重量％の牛血清アルブミン（以下、ＢＳＡともいう）を含むグリシン緩衝液（ｐＨ８．５）４５０μＬを一気に添加し、更に３７℃で１時間攪拌しブロッキング処理を行った。
ブロッキング処理後の懸濁液を８ｍＬの遠心管に分取し、１５０００ｒｐｍ、４℃にて３０分間遠心分離し、上清液を除き、１．０重量％ＢＳＡ含有グリシン緩衝液（ｐＨ８．５）を用い再分散させ余剰抗体処理を２回行った。
次に、余剰抗体処理を終えた粒子に１．０重量％ＢＳＡ含有グリシン緩衝液（ｐＨ８．５）２．５ｍＬを添加し、超音波処理後、更に１．０重量％ＢＳＡ含有グリシン緩衝液（ｐＨ８．５）を追加し、最終液量が３０ｍＬになるようにして測定試薬を調製した。
［測定試薬の性能評価］
１）測定感度の評価
得られた測定試薬を用いて、検体測定時の吸光度変化量を測定した。測定には、１検体測定につき、測定試薬を１３２μＬ、検体希釈液として１％ＢＳＡ含有グリシン緩衝液１３２μＬ、測定検体としてＣＲＰ濃度が０．０８〜２０ｍｇ／ｄＬのものを２μＬを使用し、各検体の吸光度変化量を測定した。測定機器には、生化学自動分析機（日立製作所社製、７１７０型自動分析装置）を使用し、測定波長は８００ｎｍ、測光ポイント２ｐｏｉｎｔ−ｅｎｄ２１−３４ｐで行った。この結果を図１に示した。
図１より、得られた測定試薬は、測定検体濃度が低濃度から高濃度の範囲まで高感度な測定が可能であった。
２）試薬安定性の評価
得られた測定試薬を、温度４℃にて６ヶ月間保管し、上記方法と同様にしてＣＲＰ濃度が０．０８〜２０ｍｇ／ｄＬ範囲の検体の測定感度の評価を行った。
結果を図２に示した。
図２より、長期間保管後の測定試薬でも、調製直後と同様に、測定検体濃度が低濃度から高濃度の範囲まで高感度な測定が可能であり、長期間にわたって性能が安定的に保持されることがわかった。
（実施例２〜３、比較例１〜４）
蒸留水、スチレン及びスチレンスルホン酸ナトリウムを表１に示したように仕込んだ以外は、実施例１と同様にして担体粒子の作製を行った。
得られた担体粒子の粒子径及び表面のスルホン酸基量を実施例１と同様の方法により測定し、その結果を表１に示した。
次に実施例１と表面積当たりの感作量が同じになるようにＢＳＡ含有グリシン緩衝液（ｐＨ８．５）を調整し、各実施例及び比較例の測定試薬を調製した。
得られた測定試薬の測定感度の評価を実施例１と同様の方法により行った。結果を図１に示した。
図１より、実施例２、３で調製した測定試薬では、実施例１と同様に良好な測定結果を示した。これに対して、比較例１〜４で調製した測定試薬では、測定感度が低かった。
更に作製した測定試薬を、温度４℃にて６ヶ月間保管し、実施例１と同様の方法により試薬安定性の評価を行った。結果を図２に示した。
図２より、実施例２、３で調製した測定試薬は、実施例１と同様に、長期間保管後にも、調製直後と同様に、測定検体濃度が低濃度から高濃度の範囲まで高感度な測定が可能であり、長期間にわたって性能が安定的に保持されることがわかった。これに対して、比較例１〜４で調製した測定試薬は、長期間保管後は調製直後と比較して測定感度が低下し、試薬性能が悪くなっていることがわかった。
0003708942.tif 000002
（実施例４、比較例５）
実施例３及び比較例３で作製した担体粒子への抗体感作量を、表面積当たりの感作量が、実施例３及び比較例３のそれぞれ８０％となるようにＢＳＡ含有グリシン緩衝液（ｐＨ８．５）を調整し、測定試薬を調製し、これを実施例４及び比較例５とした。
得られた測定試薬の測定感度評価を実施例１と同様の方法により行い、結果を図３に示した。
図３より、実施例４で調製した測定試薬は、実施例１と同様に良好な測定結果を示した。これに対して、比較例５で調製した測定試薬は、測定感度が低かった。
また、得られた測定試薬を、温度４℃にて６ヶ月間保管し、実施例１と同様の方法により試薬安定性の評価を行った。結果を図４に示した。
図４より、実施例４で調製した測定試薬は、調製直後と同様に、測定検体濃度が低濃度から高濃度の範囲まで高感度な測定が可能であり、長期間にわたって性能が安定的に保持されることがわかった。これに対して、比較例５で調製した測定試薬は、長期間保管後には調製直後と比較して、測定感度が低下し、試薬性能が悪くなっていることがわかった。
（実施例５〜７、比較例６〜８）
［担体粒子の作製］
攪拌機、冷却コイル、温度検出器、ジャケット等を装備したガラス反応器（容量２Ｌ）に表２に示した組成の原料を仕込み、窒素置換した後攪拌しながら反応温度を７０℃〜７１℃に制御しながら４８時間共重合した。なお、重合時に使用する触媒としては、蒸留水１０ｇに過硫酸カリウム０．５ｇを溶解した水溶液を用いた。また、実施例５、６及び比較例６では、ノニオン系乳化剤（エマルゲン８０４Ｓ、花王社製）を、実施例７及び比較例７はでアニオン系乳化剤（ネオペレックスＦ−２５、花王社製）を用いた。
得られた担体粒子を取り出し、実施例１と同様の方法により粒子径及び表面のスルホン酸基量を測定した。
結果を表２に示した。
0003708942.tif 000003
［測定試薬の調製］
実施例５で得られた担体粒子を用いて５％濃度水溶液を調製した後８ｍＬガラス管に２５０μＬ入れ、これに抗ヒトＣＲＰ山羊血清（ＤＡＫＯ社製、蛋白濃度１２ｍｇ／ｍＬ：以下、抗体溶液ともいう）５５０μＬを添加し、３７℃で１時間攪拌吸着後、ＢＳＡ（牛血清アルブミン）を含むグリシン緩衝液（ｐＨ８．５）４５０μＬ加えブロッキング処理を３７℃にて６０分攪拌処理を行った。
次にブロッキング処理品を、８ｍｌ遠心管に分取し１５０００ｒｐｍで５０分間遠心分離処理後、上清を廃棄しＢＳＡ含有グリシン緩衝液（ｐＨ８．５）を用い再分散させ余剰抗体処理を２回繰り返し行なった後、ＢＳＡ含有グリシン緩衝液（ｐＨ８．５）を２．５ｍＬ添加し、超音波処理後更にＢＳＡ含有グリシン緩衝液（ｐＨ８．５）を追加し最終液量を３０ｍＬにして測定試薬を調製した。
実施例６、７及び比較例６〜８で作製した担体粒子については、担体感作量が担体粒子表面積当たり同じになるようＢＳＡ含有グリシン緩衝液（ｐＨ８．５）を調整した以外は、実施例５と同様の方法にて測定試薬を調製した。
なお、遠心分離条件に関しては、実施例５及び比較例６では１５０００ｒｐｍで５０分間、実施例６及び比較例７では１５０００ｒｐｍで４５分間、実施例７及び比較例８では１５０００ｒｐｍで３８分間とした。
［測定試薬の性能評価］
得られた各測定試薬を用いて、以下の測定条件にて、ＣＲＰ濃度０．０８〜２０ｍｇ／ｄＬまでの検体測定時の吸光度変化量を測定した。
結果を図５及び図６に示した。
0003708942.tif 000004
〔担体粒子の作製〕
撹拌機、冷却コイル、温度検出器、ジャケット等を装備したガラス反応器（容量２Ｌ）に、表３に示した所定量の蒸留水、スチレン及びスチレンスルホン酸ナトリウムを仕込み、更に蒸留水１０ｇに過硫酸カリウム（重合開始剤）０．５ｇを溶解した水溶液を添加し、窒素置換した後、撹拌状態で反応温度を７１〜７３℃に制御しながら４８時間共重合して、６種類の担体粒子（ａ）〜担体粒子（ｆ）を得た。得られた担体粒子の粒子径及び表面のスルホン酸基量を実施例１と同様の方法により測定した。結果を表３に示した。
0003708942.tif 000005
（実施例８）
［測定試薬の調製］
担体粒子（ａ）と担体粒子（ｂ）とを固形分換算の重量比で（ａ）／（ｂ）＝１／１０となるように混合した担体粒子を用い、蒸留水を添加して固形分を１０重量％に調整した後、８ｍｌガラス管に２５０μＬ採取し、抗ヒトＣＲＰ山羊血清（蛋白濃度：１８ｍｇ／ｍＬ、ＤＡＫＯ社製：以下、抗体溶液ともいう）１７０μＬを添加して、３７℃で１時間攪拌して吸着させた後、ＢＳＡ（牛血清アルブミン）を含むグリシン緩衝液（ｐＨ：８．５）２０８０μＬを添加し、ブロッキング処理として３７℃で６０分間攪拌処理を行った。次に、ブロッキング処理品を８ｍｌ遠心管に分取し、１５０００ｒｐｍで５０分間遠心分離処理した後、上澄み液を廃棄し、ＢＳＡ含有グリシン緩衝液（ｐＨ８．５）を用いて再分散させ、余剰抗体処理を２回繰り返し行なった後、ＢＳＡ含有グリシン緩衝液（ｐＨ８．５）２．５ｍＬを添加し、超音波処理した後、更にＢＳＡ含有グリシン緩衝液（ｐＨ８．５）を追加し、最終液量を５ｍＬとして、測定試薬を調製した。
［測定試薬の性能評価］
得られた各測定試薬を用いて、以下の測定条件にて、ＣＲＰ濃度０．０８から２０ｍｇ／ｄＬまでの検体測定時の吸光度変化量を測定した。
結果を図７に示した。
0003708942.tif 000006
（実施例９）
担体粒子（ａ）と担体粒子（ｂ）とを固形分換算の重量比で（ａ）／（ｂ）＝１０／１となるように混合した担体粒子を用いたこと以外は実施例８の場合と同様にして測定試薬を調製した。
（実施例１０）
担体粒子（ｃ）と担体粒子（ｄ）とを固形分換算の重量比で（ｃ）／（ｄ）＝１／１０となるように混合した担体粒子を用いたこと以外は実施例８の場合と同様にして測定試薬を調製した。
（実施例１１）
担体粒子（ｃ）と担体粒子（ｄ）を固形分換算の重量比で（ｃ）／（ｄ）＝１０／１となるように混合した担体粒子を用いたこと以外は実施例８の場合と同様にして測定試薬を調製した。
実施例９〜実施例１１で得られた測定試薬の性能（感度）を実施例８の場合と同様にして評価した。その結果を図７に示した。
（比較例９）
担体粒子（ａ）単独を担体粒子として用い、担体粒子の表面積当たりの抗体感作量が実施例８の場合と同じになるようにＢＡＳ含有グリシン緩衝液（ｐＨ８．５）を調整したこと以外は実施例８の場合と同様にして測定試薬を作製した。
（比較例１０）
担体粒子（ｄ）単独を担体粒子として用い、担体粒子の表面積当たりの抗体感作量が実施例８の場合と同じになるようにＢＡＳ含有グリシン緩衝液（ｐＨ８．５）を調整し、更に遠心分離処理の条件を１５０００ｒｐｍで３８分間としたこと以外は実施例８の場合と同様にして測定試薬を作製した。
（比較例１１）
担体粒子（ｅ）単独を担体粒子として用い、担体粒子の表面積当たりの抗体感作量が実施例８の場合と同じになるようにＢＡＳ含有グリシン緩衝液（ｐＨ８．５）を調整したこと以外は実施例８の場合と同様にして測定試薬を作製した。
（比較例１２）
担体粒子（ｆ）単独を担体粒子として用い、担体粒子の表面積当たりの抗体感作量が実施例８の場合と同じになるようにＢＡＳ含有グリシン緩衝液（ｐＨ８．５）を調整し、更に遠心分離処理の条件を１５０００ｒｐｍで３８分間としたこと以外は実施例８の場合と同様にして測定試薬を作製した。
比較例９〜比較例１２で得られた測定試薬の性能（感度）を実施例８の場合と同様にして評価した。その結果を図８に示した。
図７から明らかなように、実施例８〜１１で調製した測定試薬は、いずれもＣＲＰ濃度０．０８〜２０ｍｇ／ｄＬの広い濃度範囲において吸光度変化量が大きく、優れた感度を発現した。
これに対し、図８から明らかなように、担体粒子として担体粒子（ａ）、担体粒子（ｅ）及び担体粒子（ｆ）をそれぞれ単独で用いて調製した比較例９、１１、１２の測定試薬は、いずれもＣＲＰ濃度０．０８〜２０ｍｇ／ｄＬの広い濃度範囲の全てにおいて吸光度変化量が小さく、感度が劣っていた。また、担体粒子として担体粒子（ｄ）を単独で用いて調製した比較例１０の測定試薬は、ＣＲＰ濃度５〜２０ｍｇ／ｄＬの高濃度領域における吸光度変化量が小さく、高濃度領域における感度が劣っていた。
［担体粒子の作製］
攪拌機、冷却コイル、温度検出器、ジャケット等を装備したガラス反応器（容量２Ｌ）に表４に示した組成の原料を仕込み、窒素置換した後攪拌しながら反応温度を７１℃〜７３℃に制御し４８時間共重合して、５種類の担体粒子（ｇ）〜担体粒子（ｋ）を得た。得られた担体粒子の粒子径及び表面のスルホン酸基量を実施例１と同様の方法により測定した。結果を表４に示した。なお、重合時に使用する触媒は、蒸留水１０ｇに過硫酸カリウム０．５ｇを溶解した水溶液を用いた。
0003708942.tif 000007
［測定試薬の調製］
担体粒子（ｇ）１０％（ｗ／ｖ）濃度に調整した水溶液を８ｍＬガラス管に２５０μＬ入れ、抗ヒトＣＲＰ山羊血清（ＤＡＫＯ社製、蛋白濃度１８ｍｇ／ｍＬ：以下、抗体溶液ともいう）１７０μＬを添加し、３７℃で１時間攪拌吸着後、ＢＳＡ（牛血清アルブミン）を含むグリシン緩衝液（ｐＨ８．５）２０８０μＬを加え、３７℃にて６０分攪拌してブロッキング処理液を行なった。次にブロッキング処理品を、８ｍＬ遠心管に分取し１８０００ｒｐｍで６０分間遠心分離処理後、上清を廃棄しＢＳＡ含有グリシン緩衝液（ｐＨ８．５）を用い再分散させ余剰抗体処理を２回繰り返し行なった後、ＢＳＡ含有グリシン緩衝液（ｐＨ８．５）を２．５ｍＬ添加し、超音波処理後、更にＢＳＡ含有グリシン緩衝液（ｐＨ８．５）を追加し最終液量を５ｍＬにして、測定試薬を調製した。
なお、担体粒子（ｈ）（ｉ）（ｊ）（ｋ）については、担体粒子表面積当たりの抗体感作量が同じになるようＢＳＡ含有グリシン緩衝液（ｐＨ８．５）を調整し担体粒子（ｇ）と同じ方法にて測定試薬を調製した。遠心分離条件に関しては、担体粒子（ｈ）は１８０００ｒｐｍで４５分間、担体粒子（ｉ）（ｊ）は１５０００ｒｐｍで３０分間、担体粒子（ｋ）は１８０００ｒｐｍで６０分間とした。
（実施例１２）
得られた担体粒子（ｉ）（ｊ）からなる測定試薬を用いて以下の測定条件にて、ＣＲＰ濃度０．５〜３０ｍｇ／ｄＬまでの検体測定時の吸光度変化量を測定した。
結果を図９及び図１０に示した。
0003708942.tif 000008
（比較例１３）
得られた担体粒子（ｋ）からなる測定試薬を用いて実施例１２と同様の測定条件にて、ＣＲＰ濃度０．５〜３０ｍｇ／ｄＬまでの検体測定時の吸光度変化量を測定した。
結果を図９及び図１０に示した。
（実施例１３）
得られた担体粒子（ｇ）からなる測定試薬と担体粒子（ｉ）からなる測定試薬とを１：１０で混合した混合測定試薬を用い、実施例１２と同様の測定条件にて、ＣＲＰ濃度０．５〜３０ｍｇ／ｄＬまでの検体測定時の吸光度変化量を測定した。
結果を図９に示した。
（実施例１４）
得られた担体粒子（ｈ）からなる測定試薬と担体粒子（ｊ）からなる測定試薬とを１：１０で混合した混合測定試薬を用い、実施例１２と同様の測定条件にて、ＣＲＰ濃度０．５〜３０ｍｇ／ｄＬまでの検体測定時の吸光度変化量を測定した。
結果を図１０に示した。
（実施例１５〜１８、比較例１４〜１８）
［担体粒子の作製］
撹拌機、冷却コイル、温度検出器、ジャケット等を装備したガラス反応器（容量２Ｌ）に、表５に示した組成の原料を仕込み、更に蒸留水１０ｇに過硫酸カリウム（開始剤）０．５ｇを溶解した水溶液を加え窒素置換した後、撹拌状態で反応温度を７１〜７３℃に制御しながら４８時間共重合し、担体粒子を得た。
得られた担体粒子をペーパー濾紙にて濾過処理後、担体粒子の粒子径を測定し、平均粒子径及びＣＶ値を求めた。なお、粒子径は透過型電子顕微鏡にて撮影した画像をもとに、画像解析装置にて測定した。また、実施例１と同様の方法により表面のスルホン酸基量を測定した。
結果を表５に示した。
0003708942.tif 000009
［測定試薬の調製］
実施例１５で得られた担体粒子を用い１０％（ｗ／ｖ）濃度に調整した水溶液を８ｍＬガラス管に２５０μｍＬ入れ、抗ヒトＣＲＰ山羊血清（ＤＡＫＯ社製、蛋白濃度１８ｍｇ／ｍＬ：以下、抗体溶液ともいう）１７０μＬを添加し、３７℃で１時間攪拌吸着後、ＢＳＡ（牛血清アルブミン）を含むグリシン緩衝液（ｐＨ８．５）２０８０μＬを加え、３７℃にて６０分攪拌してブロッキング処理液を行なった。次にブロッキング処理品を、８ｍＬ遠心管に分取し１８０００ｒｐｍで６０分間遠心分離処理後、上清を廃棄しＢＳＡ含有グリシン緩衝液（ｐＨ８．５）を用い再分散させ余剰抗体処理を２回繰り返し行なった後、ＢＳＡ含有グリシン緩衝液（ｐＨ８．５）を２．５ｍＬ添加し、超音波処理後、更にＢＳＡ含有グリシン緩衝液（ｐＨ８．５）を追加し最終液量を５ｍＬにして、測定試薬を調製した。
実施例１６〜１８及び比較例１４〜１８については、担体粒子の表面積当たりの抗体感作量が同じになるようＢＳＡ含有グリシン緩衝液（ｐＨ８．５）を調整し、実施例１５と同様の方法にて測定試薬を調製した。
なお、遠心分離条件に関しては、実施例１５及び比較例１８は１８０００ｒｐｍで６０分間、実施例１６、１７及び比較例１６、１７は１８０００ｒｐｍで７５分間とした。
［測定試薬の性能評価］
得られた測定試薬を用いて以下の測定条件にて、ＣＲＰ濃度０．５〜３０ｍｇ／ｄＬまでの検体測定時の吸光度変化量を測定した。
結果を図１１及び図１２に示した。
0003708942.tif 000010
産業上の利用可能性
本発明によれば、免疫血清学的検査において広い濃度範囲の生体試料を測定することができ、長期間安定して保存することができる測定試薬用担体粒子ラテックス及びそれを用いた測定試薬を提供できる。
【図１】
0003708942.tif 000011
【図２】
0003708942.tif 000012
【図３】
0003708942.tif 000013
【図４】
0003708942.tif 000014
【図５】
0003708942.tif 000015
【図６】
0003708942.tif 000016
【図７】
0003708942.tif 000017
【図８】
0003708942.tif 000018
【図９】
0003708942.tif 000019
【図１０】
0003708942.tif 000020
【図１１】
0003708942.tif 000021
【図１２】
0003708942.tif 000022